(57)【特許請求の範囲】
【請求項１】
脱穀部からの脱穀処理物を脱穀機体後方向きに搬送しながら選別処理する揺動選別装置を有する選別部を備え、この選別部からの１番処理物を脱穀機体横方向に搬送する１番スクリューコンベアを選別部の底部に設けてある脱穀装置であって、
前記揺動選別装置の前端側の下方に、脱穀機体後方向きの選別風を供給する唐箕を設けるとともに、前記１番スクリューコンベアのスクリューが平面視でグレンパンの下方に隠れるように１番スクリューコンベアの後部をグレンパンの後端直下に近い前方側寄り位置に設け、ファンケースの下端部位から延設して風道を形成する底板をその後方延長線が前記１番スクリューコンベアの１番スクリューの上端よりも上位となるように傾斜させ、前記唐箕のファンケースの風道から前記１番スクリューコンベアの上方近くに延出して選別風を１番スクリューコンベアに案内する送風ガイドを設け、この送風ガイドの先端部を前記１番スクリューの上端よりも上方の位置から略水平に後方に延設して、前記底板と送風ガイドとの間を通して送風される選別風を１番スクリューコンベアの後方の１番処理物の流下板に至るように案内して、この流下板に落下した１番処理物を風選別するようにしてある脱穀装置。
【請求項２】
前記唐箕のファンケースの全体が脱穀部の前壁以後に位置している請求項1 記載の脱穀装置。
【発明の詳細な説明】
【０００１】
【発明の属する技術分野】
本発明は、脱穀部からの脱穀処理物を脱穀機体後方向きに搬送しながら選別処理する揺動選別装置を有する選別部を備え、この選別部からの１番処理物を脱穀機体横方向に搬送する1 番スクリューコンベアを選別部の底部に設けてある脱穀装置に関する。
【０００２】
【従来の技術】
上記脱穀装置において、従来、揺動選別装置の前端側の下方に唐箕を設け、この唐箕によって脱穀機体後方向きに供給される選別風による風選別と、揺動選別装置による比重選別とによって脱穀処理物を穀粒とワラ屑とに選別処理するように構成されているが、次の如き問題があった。
【０００３】
【発明が解決しようとする課題】
従来、実際問題としては、ワラ屑が揺動選別装置から漏れ落ちることがあり、この場合には、１番スクリューコンベアによって回収される穀粒に混入しやすくなっていた。
【０００４】
本発明の目的は、塵埃が揺動選別装置から漏れ落ちても、１番スクリューコンベアによる回収穀粒に混入しにくいように選別処理できるとともに構造簡単に得られる脱穀装置を提供することにある。
【０００５】
【課題を解決するための手段】
請求項１による発明の構成、作用、効果はつぎのとおりである。
【０００６】
〔構成〕
脱穀部からの脱穀処理物を脱穀機体後方向きに搬送しながら選別処理する揺動選別装置を有する選別部を備え、この選別部からの１番処理物を脱穀機体横方向に搬送する１番スクリューコンベアを選別部の底部に設けてある脱穀装置において、前記揺動選別装置の前端側の下方に、脱穀機体後方向きの選別風を供給する唐箕を設けるとともに、前記１番スクリューコンベアのスクリューが平面視でグレンパンの下方に隠れるように１番スクリューコンベアの後部をグレンパンの後端直下に近い前方側寄り位置に設け、ファンケースの下端部位から延設して風道を形成する底板をその後方延長線が前記１番スクリューコンベアの１番スクリューの上端よりも上位となるように傾斜させ、前記唐箕のファンケースの風道から前記１番スクリューコンベアの上方近くに延出して選別風を１番スクリューコンベアに案内する送風ガイドを設け、この送風ガイドの先端部を前記１番スクリューの上端よりも上方の位置から略水平に後方に延設して、前記底板と送風ガイドとの間を通して送風される選別風を１番スクリューコンベアの後方の１番処理物の流下板に至るように案内して、この流下板に落下した１番処理物を風選別するようにしてある。
【０００７】
〔作用〕
唐箕からの選別風が送風ガイドによって1 番スクリューコンベアに案内され、この１番スクリューコンベアを横断して流動していく。これにより、ワラ屑などの塵埃が揺動選別装置から漏れ落ちて１番スクリューコンベアに入り込もうとしても、１番スクリューコンベアを横断していく選別風によって脱穀機体後方側に搬送されて1 番スクリューコンベアに入り込みにくくなる。
【０００８】
〔効果〕
したがって、塵埃が揺動選別装置から漏れ落ちても１番スクリューコンベアに入り込みにくいように選別処理され、１番スクリューコンベアによって回収する穀粒を塵埃混入が少ない品質の良い状態で得られる。
しかも、選別風を送風ガイドによって1 番スクリューコンベアに案内するだけの簡単な構造で済み、安価に得られる。
【０００９】
請求項２による発明の構成、作用、効果はつぎのとおりである。
【００１０】
〔構成〕
請求項１による発明の構成において、前記唐箕のファンケースの全体が脱穀部の前壁以後に位置している。
【００１１】
〔作用〕
唐箕のファンケース全体が脱穀部前壁の以後に位置するものだから、唐箕が脱穀部の前壁より突出したものに比して脱穀装置の前後方向長さを短くなる。
この場合、唐箕と１番スクリューコンベアとの間隔が短くなり、１番スクリューコンベアに穀粒を流下させる流下板と唐箕との間隔も短くなることがある。この場合でも、唐箕からの選別風の一部が送風ガイドによる案内によって一番スクリューコンベアを通ってから流下板に至るものだから、この流下板に渦流ができにくくなり、揺動選別装置から漏れ落ちたワラ屑を流下板に沿って後方に流れやすくするなど、選別処理に悪影響が出にくいようにしながら脱穀装置のコンパクト化ができる。
【００１２】
〔効果〕
したがって、ワラ屑を１番スクリューコンベアに入り込みにくくするなど選別処理が良好に行われるようにしながら、脱穀装置を前後方向長さが短いようにコンパクト化できる。
【００１３】
【発明の実施の形態】
図１に示すように、クローラ式走行装置１によって自走するとともに搭乗型運転部２を備えている自走機体の機体フレーム３の前端側に、刈取部４のフレーム４ｄの基端部を回動自在に連結するとともに、この刈取部フレーム４ｄをリフトシリンダ５によって機体フレーム３に対して上下に揺動操作することによって、刈取部４を下降作業位置と上昇非作業位置とに昇降操作するように構成し、自走機体の機体フレーム３に、脱穀装置１０及び穀粒タンク６を設けて、コンバインを構成してある。
このコンバインは、稲・麦などを収穫するものであり、詳しくは次の如く構成してある。
【００１４】
刈取部４は、植立穀稈を引起装置４ａによって引起こし処理するとともにバリカン形の刈取装置４ｂによって刈取り処理し、刈取穀稈を株元側に作用する挟持搬送装置と穂先側に作用する係止搬送装置とで成る搬送装置４ｃによって機体後方向きに搬送する。
【００１５】
図２に示すように、脱穀装置１０は、脱穀機体内の前端側の上部に位置する扱室１１などを備えている脱穀部Ａと、扱室１１の下方に前端側が位置する駆動揺動自在な揺動選別装置２０などを備えている選別部Ｂと、この選別部Ｂの底部に脱穀機体の前後方向に並んで位置している１番スクリューコンベア２５と２番スクリューコンベア２６などを備えている回収部Ｃとによって構成してある。
【００１６】
脱穀部Ａは、脱穀フィードチェーン１２によって刈取部４の搬送装置４ｃからの刈取穀稈の株元側を機体後方向きに挟持搬送して穂先側を扱室１１に供給し、その穂先側を機体前後向きの軸芯１３ａまわりで回動する扱胴１３によって脱穀処理し、脱穀排ワラを脱穀フィードチェーン１２によって扱室１１の後端部に位置する送塵口１４から排出し、穀粒などの脱穀処理物を扱室１１の受網１５から漏れ落し、ワラ屑などの脱穀処理物を前記送塵口１４から排出する。
【００１７】
選別部Ｂは、扱室１１の受網１５から落下する穀粒、扱室１１の送塵口１４から落下するワラ屑などの脱穀処理物を脱穀機体の後方向きに搬送しながら選別処理する前記揺動選別装置２０による比重選別と、揺動選別装置２０の前端側の下方に設けてある唐箕３０によって脱穀機体の後方向きに供給される選別風とによって脱穀処理物を穀粒と、ワラ屑などの塵埃とに選別処理し、穀粒を揺動選別装置から落下させ、塵埃を選別風と共に排塵ファン２１の吐出口２１ａや、揺動選別装置２０の後方に位置している脱穀機体の排塵口２２から脱穀機体の外部に排出する。
【００１８】
回収部Ｃは、選別部Ｂからの１番処理物を前記1 番スクリューコンベア２５によって選別部Ｂの底部を脱穀機体の横方向に搬送し、脱穀機体の横外側で揚穀装置（図示せず）に供給することによって前記穀粒タンク６に回収されるように送り込む。選別部Ｂからの未精粒などの２番処理物を前記２番スクリューコンベア２６によって選別部Ｂの底部を脱穀機体の横方向に搬送し、この２番スクリューコンベア２６に脱穀機体の横外側で接続している揚送装置２７によって脱穀機体の内部に揚送して揺動選別装置２０の前端側に再度処理されるように還元する。
【００１９】
図２、図３、図４などに示すように、前記唐箕３０は、最前端部位Ｆが脱穀部Ａの前壁１６の直下に位置するように配置して脱穀機体の両横側壁板１７の内面側どうしにわたって取付けてあるファンケース本体３１ａ、脱穀機体左側の前記横側壁板１７の一部で成るとともに吸気口３２を備えている左側板、脱穀機体右側の前記横側壁板１７の一部で成るとともに吸気口３２を備えている右側板のそれぞれで成るファンケース３１と、前記両側板１７の外側に各別に取付けてある一対の支持部材３３にわたって回転支軸３４ａが回転自在に付いており、前記ファンケース３１の内部に複数枚の回転羽根３４ｂが前記回転支軸３４ａの機体横向きの軸芯３４ｃまわりで回転自在に位置している回転ファン３４とによって構成してある。
【００２０】
つまり、唐箕３０は、回転支軸３４ａの一端側に動力伝達されることにより、この動力によって回転ファン３４が駆動され、回動する回転ファン３４の送風作用により、ファンケース外の空気をファンケース３１両端側の吸気口３２からファンケース３１の内部に吸引し、ファンケース３１の脱穀機体後方側に位置している風道３５から選別風を脱穀機体後方向きに吹出して選別部Ｂに供給する。
【００２１】
唐箕３０の前記風道３５の内部に前端が位置し、後端が前記１番スクリューコンベア２５のスクリュー２５ａの上方近くに位置するように配置して脱穀機体の両側壁板１７の内面側どうしにわたって取付けた板金部材によって送風カイド４０を構成してある。
【００２２】
この送風ガイド４０は、これを構成している板金部材の配置構成により、風道３５内の低部から脱穀機体後方向きに１番スクリュー２５ａの上方近くまで延出している状態になっているとともに選別部Ｂの全幅にわたる横幅を備えており、唐箕３０によって供給される選別風の一部が1 番スクリュー２５ａの上部に至って１番スクリューコンベア２５を横断し、この後、１番スクリューコンベア２５の搬送底板に連続していて精粒などの一番処理物を1 番スクリューコンベア２５に落下させる流下板４１に至るように選別風を案内する。
【００２３】
図３、図６などに示すように、唐箕３０の前記ファンケース本体３１ａの最下端部位Ｄと最前端部位Ｆとの間に、ファンケース本体３１のほぼ全長にわたる機体横方向での長さを備えている排風口３６を設けるとともに、この排風口３６のための蓋体４５をファンケース３１の外側に設けてある。
【００２４】
前記蓋体４５は、脱穀機体の両横側壁１７にわたって回動自在に付いている回転支軸４６の複数箇所から一体回動自在に延出して延出端側が蓋体４５の外面側に連結している支持杆４７を介して前記回転支軸４６によって支持されており、蓋体４５の上端側に位置する機体横向きの回転支軸４６の軸芯４６ａまわりで揺動開閉するように支持されている。図５などに示すように、この回転支軸４６の機体内側に位置する方の端部に一体回動自在に連結している揺動アーム４８と脱穀機体とにわたって閉じ操作ばね４９を取付けるとともに、前記揺動アーム４８に操作ロッド５０の一端側を連結してある。
【００２５】
すなわち、図５などに示す如く前記操作ロッド５０の他端側に折り曲げ部を設けるとともに操作ノブを取付けて作製してある操作部５１を、図７に示す操作ガイド５２のガイド溝５２ａに沿わせて移動操作することにより、操作ロッド５０による引き上げ操作力と、閉じ操作ばね４９による操作力とのために揺動アーム４８が揺動して回転支軸４６を介して蓋体４５を前記軸芯４６ａまわりで揺動開閉させる。そして、操作部５１を操作ガイド５２の複数箇所に設けてある係止部５２ｂから選択した一つの係止部５２ｂに掛けて支持させることにより、蓋体４５が閉じ操作ばね４９に抗して開き状態に維持されるとともに、操作部５１を複数の係止部５２ｂに掛け換えることにより、蓋体４５の維持される開き角度が変化する。
【００２６】
つまり、操作部５１を複数の係止部５２ｂに掛け換えることにより、蓋体４５が開閉揺動して排風口３６を閉じたり、排風口３６を開けるとともに排風口３６の開き度合を大にしたり小にするように排風口３６を開閉調節する。排風口３６を開けると、唐箕３０が選別風の一部を排風口３６から排出し、選別部Ｂに供給する選別風の風量が減少するのであり、脱穀装置１０の穀稈供給量に応じて選別部Ｂの選別風量を調節しながら作業できるようにしてある。
すなわち、脱穀装置１０に供給される穀稈の量が多い場合、排風口３６を閉じるとか閉じ側に調節し、選別部Ｂに供給される処理物の量が多くなっても選別が迅速かつ精度よく行なわれるように、選別部Ｂに供給される選別風を多量側に調節する。脱穀装置１０に供給される穀稈の量が少ない場合、排風口３６を最大に開けるとか開き側に調節し、選別部Ｂに供給される処理物の量が少なくなっても塵埃と共に機体外に排出される穀粒が少なくなるように、選別部Ｂに供給される選別風を少量側に調節するのである。
【００２７】
〔別実施形態〕
上記実施形態に示した如く、ファンケース３１の最前端部位Ｆが脱穀部前壁１６の直下に位置する配置で唐箕３０を設ける他、ファンケース３１の最前端部位Ｆが脱穀部前壁１６より脱穀機体後方側に位置する配置で唐箕３０を設けても、唐箕３０に起因して脱穀装置１０の前後長さが長くなることを回避できる。したがって、ファンケース３１の全体が脱穀部Ａの前壁１６以後に位置する配置で設けることにより、本発明の目的を達成できる。
【図面の簡単な説明】
【図１】  コンバイン全体の側面図
【図２】  脱穀装置の縦断側面図
【図３】  唐箕配設部の断面図
【図４】  唐箕の側面図
【図５】  蓋体操作構造の側面図
【図６】  脱穀装置の正面図
【図７】  操作ガイドの説明図
【図８】  排風口配設部の断面図
【符号の説明】
１６        脱穀部の前壁
２０        揺動選別装置
２５      １番スクリューコンベア
３０        唐箕
３１        ファンケース
３５        風道
３６        排風口
４０        送風ガイド
Ａ          脱穀部
Ｂ          選別部
【図１】
0003797943.tif 000002
【図２】
0003797943.tif 000003
【図３】
0003797943.tif 000004
【図４】
0003797943.tif 000005
【図５】
0003797943.tif 000006
【図６】
0003797943.tif 000007
【図７】
0003797943.tif 000008
【図８】
0003797943.tif 000009